【手続補正書】
【提出日】平成17年12月9日(2005.12.9)
【手続補正１】
【補正対象書類名】明細書
【補正対象項目名】発明の名称
【補正方法】変更
【補正の内容】
【発明の名称】ポリイソシアネート組成物、その製造方法及びそれからの水性コーティング組成物
【手続補正２】
【補正対象書類名】明細書
【補正対象項目名】特許請求の範囲
【補正方法】変更
【補正の内容】
【特許請求の範囲】
【請求項１】  （Ａ）（ａ）脂肪族及び／または脂環式ジイソシアネート、及び炭素数１〜５０のモノアルコールから得られるイソシアネートプレポリマー５０〜９５重量％、（ｂ）少なくとも１つの水酸基を有し、３〜５０のエチレンオキサイド繰返単位からなるノニオン性の親水基成分５〜５０重量％とを反応させたポリイソシアネート組成物と、
（Ｂ）（ｃ）実質的に水を含有しないイオン性界面活性剤０．５〜２０重量％からなる、高い乳化性を有するポリイソシアネート組成物。
【請求項２】  （ａ）脂肪族及び／または脂環式ジイソシアネートと、炭素数１〜５０のモノアルコールをウレタン化反応した後に、イソシアヌレート化を行って得られるイソシアネートプレポリマー５０〜９５重量％に、
（ｂ）少なくとも１つの水酸基を有し、３〜５０のエチレンオキサイド繰返単位からなるノニオン性の親水基成分５〜５０重量％を反応させることを特徴とする、高い乳化性を有するポリイソシアネート組成物の製造方法。
【請求項３】  （ａ）脂肪族及び／または脂環式ジイソシアネートと、炭素数１〜５０のモノアルコールをウレタン化反応した後に、イソシアヌレート化を行い得られるイソシアネートプレポリマー５０〜９５重量％に、
（ｂ）少なくとも１つの水酸基を有姿、３〜５０のエチレンオキサイド繰返単位からなるノニオン性の親水基成分５〜５０重量％を反応させるポリイソシアネート組成物に、
（ｃ）実質的に水を含有しないイオン性界面活性剤０．５〜２０重量％を混合する、高い乳化性を有するポリイソシアネート組成物の製造方法。
【請求項４】  請求項１記載のポリイソシアネート組成物であって、実質的に固形分１００％の状態で２５℃で、２００〜２０００ｍＰａ．ｓの粘度を有する高い乳化性を有するポリイソシアネート組成物。
【請求項５】  請求項２〜３の製造方法で得られた、実質的に固形分１００％の状態で２５℃で、２００〜２０００ｍＰａ．ｓの粘度を有する、高い乳化性を有するポリイソシアネート組成物。
【請求項６】  （Ａ）水酸基価１〜３００ｍｇＫＯＨ／ｇの水性エマルジョンと、（Ｂ）請求項１、あるいは請求項４記載のポリイソシアネート組成物とを、イソシアネート基／水酸基の当量比が０．５〜５．０の範囲で配合してなることを特徴とする、水系コーティング組成物。
【請求項７】  （Ａ）水酸基価１〜３００ｍｇＫＯＨ／ｇの水性エマルジョンと、（Ｂ）請求項２〜３、あるいは請求項５記載のポリイソシアネート組成物の製造方法で得られたポリイソシアネート組成物とを、イソシアネート基／水酸基の当量比が０．５〜５．０の範囲で配合してなることを特徴とする、水系コーティング組成物。
【手続補正３】
【補正対象書類名】明細書
【補正対象項目名】０００４
【補正方法】変更
【補正の内容】
【０００４】
【発明が解決しようとする課題】
本発明は、高い乳化性を有する低粘度のポリイソシアネート組成物、その製造方法及びそれからの水系コーティング組成物を提供することを目的とするものである。
【手続補正４】
【補正対象書類名】明細書
【補正対象項目名】０００５
【補正方法】変更
【補正の内容】
【０００５】
【課題を解決するための手段】
本発明者らは、上記課題を種々検討した結果、高い乳化性を有するポリイソシアネート組成物にモノアルコールを組み込むことによって、上記課題を解決できることを見出し、本発明を完成するに至った。
即ち、本発明は：
（１）（Ａ）（ａ）脂肪族及び／または脂環式ジイソシアネート、及び炭素数１〜５０のモノアルコールから得られるイソシアネートプレポリマー５０〜９５重量％、（ｂ）少なくとも１つの水酸基を有し、３〜５０のエチレンオキサイド繰返単位からなるノニオン性の親水基成分５〜５０重量％を反応させたポリイソシアネート組成物と、
（Ｂ）（ｃ）実質的に水を含有しないイオン性界面活性剤０．５〜２０重量％からなる、高い乳化性を有するポリイソシアネート組成物を提供する。また、
（２）（ａ）脂肪族及び／または脂環式ジイソシアネートと、炭素数１〜５０のモノアルコールをウレタン化反応した後に、イソシアヌレート化を行って得られるイソシアネートプレポリマー５０〜９５重量％に、
（ｂ）少なくとも１つの水酸基を有し、３〜５０のエチレンオキサイド繰返単位からなるノニオン性の親水基成分５〜５０重量％を反応させることを特徴とする、高い乳化性を有するポリイソシアネート組成物の製造方法を提供する。また、
（３）（ａ）脂肪族及び／または脂環式ジイソシアネートと、炭素数１〜５０のモノアルコールをウレタン化反応した後に、イソシアヌレート化を行い得られるイソシアネートプレポリマー５０〜９５重量％に、
（ｂ）少なくとも１つの水酸基を有姿、３〜５０のエチレンオキサイド繰返単位からなるノニオン性の親水基成分５〜５０重量％を反応させるポリイソシアネート組成物に、
（ｃ）実質的に水を含有しないイオン性界面活性剤０．５〜２０重量％を混合する、高い乳化性を有するポリイソシアネート組成物の製造方法を提供する。また、
（４）（１）記載のポリイソシアネート組成物であって、実質的に固形分１００％の状態で２５℃で、２００〜２０００ｍＰａ．ｓの粘度を有する高い乳化性を有するポリイソシアネート組成物を提供する。また、
（５）（２）〜（３）の製造方法で得られた、実質的に固形分１００％の状態で２５℃で、２００〜２０００ｍＰａ．ｓの粘度を有する、高い乳化性を有するポリイソシアネート組成物を提供する。また、
（６）（Ａ）水酸基価１〜３００ｍｇＫＯＨ／ｇの水性エマルジョンと、（Ｂ）（１）あるいは（４）記載のポリイソシアネート組成物とを、イソシアネート基／水酸基の当量比が０．５〜５．０の範囲で配合してなることを特徴とする、水系コーティング組成物を提供する。また、
（７）（Ａ）水酸基価１〜３００ｍｇＫＯＨ／ｇの水性エマルジョンと、（Ｂ）（２）〜（３）あるいは（５）記載のポリイソシアネート組成物の製造方法で得られたポリイソシアネート組成物とを、イソシアネート基／水酸基の当量比が０．５〜５．０の範囲で配合してなることを特徴とする、水系コーティング組成物を提供する。
【手続補正５】
【補正対象書類名】明細書
【補正対象項目名】０００６
【補正方法】変更
【補正の内容】
【０００６】
以下、本発明を詳細に説明する。
（1)  ポリイソシアネート組成物
本発明のポリイソシアネート組成物は、（Ａ）（ａ）脂肪族及び／または脂環式ジイソシアネート、及び炭素数１〜５０のモノアルコールから得られるイソシアネートプレポリマー５０〜９５重量％、（ｂ）少なくとも１つの水酸基を有し、３〜５０のエチレンオキサイド繰返単位からなるノニオン性の親水成分５〜５０重量％とを反応させて得られたポリイソシアネート組成物と、
（Ｂ）(c) 実質的に水を含有しないイオン性界面活性剤０．５〜２０重量％からなる、高い乳化性を有するポリイソシアネート組成物である。
(a) イソシアネートプレポリマー
(i) ジイソシアネート成分
本発明で使用する脂肪族、及び／または脂環式ジイソシアネートとしては、例えば、テトラメチレンジイソシアネート、ペンタメチレンジイソシアネート、ヘキサメチレンジイソシアネート（以下、ＨＤＩ）、トリメチルヘキサメチレンジイソシアネート、リジンジイソシアネート、イソホロンジイソシアネート（以下、ＩＰＤＩ）、水添キシレンジイソシアネート、１，４−ジイソシアネートシクロヘキサン等が挙げられる。中でもＨＤＩ、ＩＰＤＩ、水添キシレンジイソシアネートは、工業的に入手し易く良好である。